(57)【要約】【課題】本発明は、カード２２の巻取り巻戻しが容易で、長時間演奏が可能なカード式オルゴール装置で、演奏途中でも手動と電動を簡単に切換え、尚且つ、左右両方向に軸を回転させても演奏を可能にする。【解決手段】オルゴール本体３の後部には着脱自在の巻戻し用のローラ１７、前部には巻取り用のローラ１６を備え、ベルト１０、１１によりオルゴール本体３と連動している。更に、動力収納箱４には動力が備えられ、各ローラとオルゴール本体は、複数のクラッチ歯車で構成されている切換え手段１４により、回転伝達の接続と遮断が状況に応じて繰り返される。その結果、ハンドル７を左右どちらに回転しても演奏と同時にカードはローラ１６に巻き取られ、演奏終了後はハンドルを軸１３に付け替える事により、ローラ１７で巻戻す事が出来るだけでなく、前記の手動で駆動中でも、操作板４０を操作すると、切換え手段１４が機能してモータ動力への切換を可能としたカード式オルゴール装置。【選択図】図１
2019133114.tif 000002
【特許請求の範囲】
【請求項１】
カードをオルゴール本体に通過させて演奏を行うオルゴール装置において、巻取り手段を連動させて演奏をする時、切換え手段により駆動手段の選択が出来る事を特徴とするオルゴール装置。
【請求項２】
巻戻し手段によりカードの巻戻しをする時、切換え手段により駆動手段の選択が出来る事を特徴とする請求項１記載のオルゴール装置。
【請求項３】
駆動軸を左右どちらの方向に回しても、巻取り手段を連動させて演奏が出来る事を特徴とする請求項１、２記載のオルゴール装置。
【発明の詳細な説明】
【技術分野】
【０００１】  本発明は、カードを交換することにより演奏曲目の変更が可能で尚且つ、長時間演奏が可能なオルゴール装置に関する。
【背景技術】
【０００２】  演奏曲目の変更が容易に出来、尚且つ、長時間演奏が可能なオルゴール装置として、カード式オルゴール装置があるが、この演奏する時のカードの巻取りや演奏終了後のカードの巻戻しをする駆動手段はモータ単独や、手動単独に限定されている。
【先行技術文献】
【０００３】
【特許文献１】特開平９−１０１７７５
【特許文献２】特開２０１７−１４６５７３
【特許文献３】実公昭５７−６００７２
【発明の概要】
【発明が解決しようとする課題】
【０００４】  特開平９−１０１７７５では、オルゴールの演奏時にテープがテープローラに巻き取られ、演奏が終了した後はテープを巻き戻すオルゴール装置が開示されているが、この駆動手段はハンドルを回転させ時に発生する手動に限定されている。尚、他の実施例として電動モータをケイシング内に設置して、ハンドル軸を駆動させる記述があるが、この場合はハンドル軸を手動で回転させる事は出来ないだけでなく、カードの巻戻しは手動に限定される。【０００５】  特開２０１７−１４６５７３では、オルゴールの演奏時にモータ動力でパンチカードを巻取り円筒に巻取り、演奏終了後は円筒外側に固定したハンドルで手動回転させパンチカードを巻き戻すオルゴール装置が開示されているが、その駆動手段は演奏時に於いてはモータ動力に、巻戻しは手動に限定されている。【０００６】    実公昭５７−６００７２では、カセットに収納されたエンドレスの環状ベルトで演奏でき、カセット交換で曲目を変更できるオルゴールでは、ハンドルで回転ローラを回動する手段は手動に限定されている。
【課題を解決するための手段】
【０００７】    本発明は、駆動手段を状況に応じて選択して、オルゴール演奏とカード巻取りを連動して行い、演奏終了後にはカードの巻戻し事が出来、尚且つ手動の場合、駆動軸を左右どちらの方向に回転させても演奏とカードの巻取りが可能なカード式オルゴール装置である。
【発明の効果】
【０００８】    駆動手段を自在に選択して演奏やカードの巻取り・巻戻しが出来るので、手動の場合は電源の心配がなく、いかなる状況でも利用出来るだけでなく、自在にスピードを変化させて演奏を楽しむ事ができる。又、長時間演奏の場合は、手動で演奏途中でもモータ動力に切り替える事で、身体に負担をかけずに演奏を楽しむ事ができる。更に駆動軸を左右どちらの方向に回転させても演奏や巻取りが可能となる。
【図面の簡単な説明】
【０００９】
【図１】カード式オルゴールの斜視図である。
【図２】オルゴール本体の平面図である。
【図３】本発明の切換え手段実施例の斜視図である。
【図４】本発明の切換え手段実施例の断面側面図である。
【図５】本発明の巻取り巻戻し手段実施例の斜視図である。
【図６】本発明のクラッチの別の実施例の斜視図である。
【発明を実施するための形態】
【００１０】  上記目的を達成するために本発明は、カードをオルゴール本体に通過させながら演奏を行うオルゴール装置において、演奏時に於いてオルゴール本体を通りぬけたカードを巻き取るローラをオルゴール本体の前部に設置し、駆動手段のハンドルとモータ動力をオルゴール本体のローラと前記の巻取りローラを連動させ、複数のクラッチを切換え手段として介在させ、駆動手段に応じて回転伝達の接続・遮断を行う。
【００１１】  演奏終了後にカードを巻戻すローラを軸受に対して着脱自在にオルゴール本体の後部に設置し、駆動手段のハンドルとモータ動力を前記の巻戻しローラに連動させ、複数のクラッチ歯車を切換え手段として介在させ、駆動手段に応じて回転伝達の接続・遮断を行う。
【００１２】    オルゴールの演奏を手動で行う場合は、ハンドルを左右どちらの方向に回しても、カードには一定方向の推進力が発生し、尚且つカードの巻取りが出来る様、一対のクラッチを切換え手段として一方向回転伝達の制御を行う。
【実施例】
【００１３】  図１は、本発明に係わるカード式オルゴール装置の実施の一形態を示している。このオルゴール装置１は、オルゴール本体３を通過するカード２２に推進力を与える送りローラ１５とこれを手動や、モータ動力で駆動させる軸１２、ハンドル７を備えている。手動の場合はハンドル７を回して行い、電動の場合は、動力収納箱４に収められたモータ動力で行うが（この内部構造の説明は省略）、手動とモータ動力の切換えや、軸１２の左右の両方向の回転を一方向に変換する為の切換え手段１４を備えている。更に、演奏・巻取りをスタートさせ、カードを巻戻す時のローラ１７と従動プーリ６との回転伝達を制御し、動力のモータのスイッチを作動させる操作板４０が支柱４０ｃに支持されている。
（操作板４０で動力のスイッチをＯＮ・ＯＦＦさせる図は省略する）【００１４】  取付台２にはローラ軸受１８・１９が固定され、ローラ１６はこの軸受とプーリ軸５ａで支持され、軸１２に固定されている駆動プーリ８は、従動プーリ５とベルト１０で連動され、更に、従動プーリ５はローラ１６とプーリ軸５ａで支持され、駆動バネ５ｂの摩擦力で接続されている。同様にローラ軸受２０・２１とプーリ軸６ａがローラ１７を支持し、軸１３に固定の駆動プーリ９は、従動プーリ６とベルト１１で連動され、ローラ１７はプーリ軸６ａ、駆動バネ６ｂで接続されている。【００１５】  図２は、オルゴール本体３の平面図であるが、軸１２はフレーム２３に固定されている地板Ａ２４と地板Ｃ２６で回転自在に支持され、クラッチ歯車Ａ２９、クラッチ歯車Ｂ３０は冠歯車２７と噛み合い、ピニオン２８を介して送りローラ１５と繋がっている。又、クラッチ歯車Ａ２９・クラッチ歯車Ｂ３０と軸１２は回転方向に応じて回転の接続・遮断が出来るように構成され、更に、駆動プーリ８はクラッチ歯車Ａ２９に一体固定されている。軸１３は地板Ｂ２５と地板Ｃ２６で回転自在に支持され、クラッチ歯車Ｂ３３とは一方向のみ回転が伝達され、又、駆動プーリ９はクラッチ歯車Ｂ３３に一体固定されている。【００１６】  図３、図４は切換え手段の実施例である。クラッチ歯車Ａ２９は凹部２９ｂが設けられ、ラチェット２９ａが嵌入し、軸１２とラチェット２９ａは一体固定されている。軸１２、ラチェット２９ａが右回転（矢印方向）すると、腕先端が凹部２９ｂに設けられた段差に係合し、クラッチ歯車Ａ２９と接続されて冠歯車２７に回転が伝達される様にクラッチが構成されている。尚、クラッチ歯車Ａ２９では、左回転させた時だけ軸１２と接続して回転が伝達される。【００１７】  クラッチ歯車Ａ２９、Ａ３２、Ａ３４及びＢ３０、Ｂ３１、Ｂ３３、Ｂ３５の部品構成・機能は全く同じであり、軸１２にはクラッチ歯車Ａ２９とＢ３０が、軸３７にはクラッチ歯車Ａ３２とＢ３１が、同じく軸３８にはクラッチ歯車Ａ３４とＢ３５が対向して配置されている。従ってクラッチ歯車Ｂ３０、Ｂ３１、Ｂ３５は、軸１２、３７、３８が左回転する時だけ軸と接続して回転伝達される。更に、クラッチ歯車Ａ３２とＢ３５は、モータ動力からの回転を伝達する動力歯車３６と噛み合い、軸１２、１３へ動力伝達の接続・遮断を行う。【００１８】  図５は巻取り手段と巻戻し手段の実施例である。巻取りローラ１６は、フランジ１６ｃと１６ｄを両端に一体固定された円筒１６ａで構成され、ローラ軸受１８、ローラ軸１６ｆにより回転自在に支持されている。又、ローラ軸受１９、プーリ軸５ａが軸受孔１６ｅで回転自在に支持され、プーリ軸５ａには駆動バネ５ｂが固定され、フランジ１６ｄを押している。又、円筒１６ａの外周部には、カード２２の先端部を固定する為の板バネ１６ｂが固定されている。【００１９】  巻戻しローラ１７は、円筒１７ａの片側にはフランジ１７ｄが一体固定されているが、他端のフランジ１７ｃは円筒１７ａとは手で分離可能な状態で構成され、フランジ１７ｃはローラ軸受２０、スライド軸１７ｈにより、軸受孔１７ｇで支持される同時に、圧縮バネ１７ｉでスライド軸１７ｈがフランジ１７ｃを押している。反対側では、ローラ軸受２１、プーリ軸６ａが、軸受孔１７ｅでフランジ１７ｄを回転自在に支持し、駆動バネ６ｂがプーリ軸６ａに一体固定されている。更に従動プーリ６に設けられた溝６ｃに、レバー４０ｂが係合しており、操作板４０の作動によりレバー４０ｂが支柱４０ｃを支点にして回動すると、駆動バネ６ｂがスライドして駆動孔１７ｆに対して嵌入・離脱する。又、１７ａの外周部には、カード２２の後端部を固定する為の板バネ１７ｂが固定されている。【００２０】  以下、オルゴール装置１の作動について説明する。最初、ローラ１７側のスライド軸１７ｈを引っ張りフランジ１７ｃ、ｄが両サイドに固定されている円筒１７ａを取り外す。次にフランジ１７ｃを外してロール状のカード２２を円筒１７ａに押しこみ装着後、再びスライド軸１７ｈをスライドさせて元の位置にセットする。この時、操作板４０が図１のＳの位置に有り、駆動バネ６ｂが駆動孔１７ｆから離脱しており、ローラ１７は回転自在状態なので、カード２２の先端を取り出し、オルゴール本体３に差し込みながらハンドル７を回転させると、送りローラ１５も回転してカード２２に推進力が発生し、オルゴール本体３に挿入される。さらハンドル７を回転させ、カード２２の先端をローラ１７の板バネ１７ｂまで送り、先端をこの板バネに差し込む事により演奏準備が完了する。尚この時、ハンドル７を左右どちらの方向に回転させても、クラッチ歯車Ａ２９、Ｂ３０と軸１２の作用により、冠歯車２７は図３の矢印方向に回転し、カード２２は前方に送られる。同時に、クラッチ歯車Ａ２９には駆動プーリ８が固定され、ベルト１０により従動プーリに連動してローラ１６が回転するので、演奏している間、カード２２はローラ１６に巻き取られる。尚、カード２２の送りスピードよりローラ１６の回転速度を速く設定してあるので、押えバネ５ｂの働きによりローラ１６には摩擦伝達力が発生し、カード２２はローラ１６に確実に巻き取られる。【００２１】  以下、モータ動力で作動させる場合を説明する。図１で操作板４０をＰの位置まで回動させるとモータのスイッチがＯＮとなり、動力歯車３６が右回転する。するとこの歯車と噛み合っているクラッチ歯車Ａ３２は左回転し、軸３７と接続状態となり軸３７は左回転し、クラッチ歯車Ｂ３１は接続されて左回転する。この為、クラッチ歯車Ｂ３１と噛み合っているクラッチ歯車Ａ２９は右回転して冠歯車２７を矢印方向に回転させる。反対側で動力歯車３６と噛み合っているクラッチ歯車Ｂ３５は左回転するので回転伝達が遮断され軸１３、駆動プーリ９は回転しない。【００２２】  次に演奏が終了し、カード２２を手動で巻戻す場合を説明する。図１で操作板４０をＲの位置まで回動させ、レバー４０ｂにより駆動プーリ６、駆動バネ６ｂがスライドして駆動孔１７ｆと係合させる。次にローラ１６に巻き取られているカード２２の終端部を持ち、オルゴール本体３の上方を渡してローラ１７の方向に引っ張ってきて、板バネ１７ｂで固定する。ハンドル７を軸１３に付け替え、左に回転するとクラッチ歯車Ｂ３３、駆動プーリも左回転し、ベルト１１と連動している従動プーリ６、ローラ１７も左回転してカード２２が巻戻される。尚、カード２２が巻戻される時、ローラ１６は駆動バネ５ｂで押されて摩擦接続しているだけなので、強制的に左方向に回転させられる。【００２３】以下、モータ動力でカード２２を巻戻す場合であるが、前記と同じ要領でカード２２の終端部をローラ１７に固定した後、操作板４０をＲの位置のままでモータスイッチをＯＮにすると、動力歯車３６が左回転する。するとこの歯車と噛み合っているクラッチ歯車Ｂ３５は右回転し、軸３８とは接続状態となりクラッチ歯車Ａ３４も右回転し、この結果クラッチ歯車Ｂ３３、駆動プーリ９も一体で左回転してローラ１７がカード２２を巻戻す。この時、反対側で動力歯車３６と噛み合っているクラッチ歯車Ａ３２は右回転するので回転伝達が遮断され軸１２、駆動プーリ８は回転しない。円筒１７ａに巻き取られたカード２２を交換する場合は、スライド軸１７ｈを引っ張ってスライドさせ、取り外した後、フランジ１７ｃを外し、ロール状のカード２２を円筒１７ａから抜き取り後、オルゴール装置１の作動で先述の通りの手順で別のカードをセットする。【００２４】  以上は本発明の一実施例であり、この実施例に限定されるものではない。例えば切換え手段の構成部品であるクラッチ歯車の別の実施例は図６で示す様に、クラッチ歯車４１には環状部４１ａが設けられ、軸３８に固定されている受板４１ｂが嵌入している。受板４１ｂは凹部４１ｄを有し、その中にコロ４１ｃが嵌入しており、軸３８やクラッチ歯車４１の回転方向に応じて、回転伝達の接続・遮断を行う。
【産業上の利用可能性】
【００２５】  本発明によるカード式オルゴール装置は、多様な顧客ニーズを１台で対応出来、手指など身体のリハビリや、長時間音楽を聴くことで癒し効果が得られる音楽療法により、医療福祉機器への展開も可能であるだけでなく、長時間演奏用の長いカードで、音楽編曲の自由度も拡大できるので、より広い分野での商品展開を図り、オルゴールの存在価値をより一層高める事ができる。
【符号の説明】
【００２６】１      オルゴール装置
２      取付台
３      オルゴール本体
４      動力収納箱（駆動手段：モータ）
５      従動プーリ（巻取り）
５ａ  プーリ軸
５ｂ  駆動バネ
６      従動プーリ（巻戻し）
６ａ  プーリ軸
６ｂ  駆動バネ
６ｃ  溝
７      ハンドル（駆動手段：手動）
８      駆動プーリ（巻取り）
９      駆動プーリ（巻戻し）
１０    ベルト
１１    ベルト
１２    軸
１３    軸
１４    切換え手段
１５    送りローラ
１６      ローラ（巻取り手段）
１６ａ  円筒
１６ｂ  板バネ
１６ｃ  フランジ
１６ｄ  フランジ
１６ｅ  軸受孔
１６ｆ  ローラ軸
１７    ローラ（巻戻し手段）
１７ａ  円筒
１７ｂ  板バネ
１７ｃ  フランジ
１７ｄ  フランジ
１７ｅ  軸受孔
１７ｆ  駆動孔
１７ｇ  軸受孔
１７ｈ  スライド軸
１７ｉ  圧縮バネ
１８      ローラ軸受
１９      ローラ軸受
２０      ローラ軸受
２１      ローラ軸受
２２      カード
２３      フレーム
２４      地板Ａ
２５      地板Ｂ
２６      地板Ｃ
２７      冠歯車
２８      ピニオン
２９      クラッチ歯車Ａ（切換え手段〜３５）
２９ａ  ラチェット
２９ｂ  凹部
３０      クラッチ歯車Ｂ
３１      クラッチ歯車Ｂ
３２      クラッチ歯車Ａ
３３      クラッチ歯車Ｂ
３４      クラッチ歯車Ａ
３５      クラッチ歯車Ｂ
３６      動力歯車
３７      軸
３８      軸
３９      動力軸
４０      操作板
４０ａ  支柱
４０ｂ  レバー
４０ｃ  支柱
４１      クラッチ歯車
４１ａ  環状部
４１ｂ  受板
４１ｃ  コロ
４１ｄ  凹部
【図１】
2019133114.tif 000003
【図２】
2019133114.tif 000004
【図３】
2019133114.tif 000005
【図４】
2019133114.tif 000006
【図５】
2019133114.tif 000007
【図６】
2019133114.tif 000008